(57)【要約】【課題】  録画開始時刻および録画終了時刻を容易に設定する。【解決手段】  データ記録再生装置による録画時刻設定処理は、メータ録画設定モードの実行を検出するステップ（Ｓ５０２）と、録画開始位置の入力を検出するステップ（Ｓ５０８）と、録画開始位置から時刻を算出するステップ（Ｓ５０９）と、録画開始時刻をメモリに保存するステップ（Ｓ５１２）と、録画終了位置の入力を検出するステップ（Ｓ５１６）と、録画終了位置から時刻を算出するステップ（Ｓ５１７）と、録画終了位置が決定されると（Ｓ５１８にてＹＥＳ）、録画時間を算出するステップ（Ｓ５２０）と、録画時間帯が予約済みではなく（Ｓ５２２にてＮＯ）、ＨＤＤの記憶容量を超過しない場合に（Ｓ５２６にてＮＯ）、録画終了時刻をメモリに保存するステップ（Ｓ５３０）とを含む。【選択図】        図７
2005094343.tif 000002
【特許請求の範囲】
【請求項１】
映像音声データを受信するための受信手段と、
受信された前記映像音声データを記録するための記録手段と、
記録された前記映像音声データを再生するための再生手段と、
前記記録手段の記憶領域を、前記映像音声データを一時的に記録するバッファ領域と、前記映像音声データを長期的に記録する保存領域とに分けて管理するための管理手段と、
前記映像音声データを前記バッファ領域に記録しつつ、過去に受信され前記バッファ領域に一時的に記録されているデータを逐次再生するように、前記記録手段および前記再生手段を制御するための記録再生制御手段と、
前記映像音声データの記録の開始時刻および終了時刻の設定のための画面を表示する信号を生成するための表示制御手段と、
前記利用者による入力を検出するための検出手段とを含み、
前記表示制御手段は、少なくとも一次元の座標方向に沿う形状を有する図形を表示する信号を生成し、
前記検出手段は、前記記録の開始時刻および終了時刻の設定について、表示された前記図形に対する前記利用者による入力を検出する、データ記録再生装置。
【請求項２】
映像音声データを受信するための受信手段と、
受信された前記映像音声データを記録するための記録手段と、
記録された前記映像音声データを再生するための再生手段と、
前記映像音声データの記録の開始時刻および終了時刻の設定のための画面を表示する信号を生成するための表示制御手段と、
前記利用者による入力を検出するための検出手段とを含み、
前記表示制御手段は、少なくとも一次元の座標方向に沿う形状を有する図形を表示する信号を生成し、
前記検出手段は、前記記録の開始時刻および終了時刻の設定について、表示された前記図形に対する前記利用者による入力を検出する、データ記録再生装置。
【請求項３】
前記データ記録再生装置は、
前記記録手段の記憶領域を、前記映像音声データを一時的に記録するバッファ領域と、前記映像音声データを長期的に記録する保存領域とに分けて管理するための管理手段と、
前記映像音声データを前記バッファ領域に記録しつつ、過去に受信され前記バッファ領域に記録されたデータを逐次再生するように、前記記録手段および前記再生手段を制御するための記録再生制御手段とをさらに含み、
前記検出手段は、前記バッファ領域に一時的に記録されたデータを長期的に記録するための、表示された前記図形に対する前記利用者による入力を検出する、請求項２に記載のデータ記録再生装置。
【請求項４】
前記管理手段は、検出された前記利用者による入力に基づいて、前記バッファ領域に記録されている前記映像音声データを前記保存領域に記録するように前記記録手段を管理する、請求項３に記載のデータ記録再生装置。
【請求項５】
前記記録手段は、記録される前記映像音声データの属性を表わす属性データを記録するための手段を含み、
前記管理手段は、検出された前記利用者による入力に基づいて、前記バッファ領域に記録されている前記映像音声データについての前記属性データの内容を、長期的に記録されるデータであることを表わす内容に変更する、請求項３に記載のデータ記録再生装置。
【請求項６】
少なくとも一次元の座標方向に沿う形状を有する前記図形は矩形であり、
前記矩形の前記一次元の座標方向は、前記記録手段におけるデータの記憶容量に対応する、請求項２〜５のいずれかに記載のデータ記録再生装置。
【発明の詳細な説明】
【技術分野】
【０００１】
本発明は、情報を記録する技術に関し、特に記録時間の設定を容易にする技術に関する。
【背景技術】
【０００２】
ＶＴＲ（Video Tape Recorder）、あるいはＨＤＤ（Hard Disk Drive）レコーダその他の記録装置にテレビ番組を録画する場合、利用者は、リモートコントロール端末あるいは記録装置が有する操作ボタン等を介してその録画に必要な情報を入力する。この情報には、録画の開始時刻および終了時刻、録画チャネル、録画モードなどが含まれる。このような操作によって録画に必要な情報を入力する方法によると、入力すべき項目が必然的に多くなる。そのため、利用者によってはその項目を正確に入力することができず、結果として、目的とする番組が正しく録画されていない場合があった。
【０００３】
そこで、このような問題点を解決するために、たとえば特開２０００−３５０１３０号公報（特許文献１）は、タイムシフト再生の制御構造を簡潔にすることができる録画再生装置を開示する。この録画再生装置は、ランダムアクセスが可能なメモリと、入力された映像信号を圧縮処理してメモリに出力する回路と、メモリに録画された映像信号を伸張処理して出力する回路と、映像の録画のための映像信号の入出力および録画動作を制御する回路と、映像の再生のための映像信号の入出力および再生動作を制御する回路と、操作入力部とを含む。
【０００４】
この装置によると、映像信号の録画あるいは再生が指示されたとき、録画動作および再生動作の少なくとも一方の動作が制御され、実行される。タイムシフト再生が指示されたとき、録画動作および再生動作が制御され、タイムシフト再生が実行される。
【特許文献１】特開２０００−３５０１３０号公報
【発明の開示】
【発明が解決しようとする課題】
【０００５】
しかしながら、特許文献１に開示された録画再生装置によると、利用者が録画開始時刻あるいは終了時刻の指定時刻を誤って入力した場合には、所望の番組を録画することができない場合があった。
【０００６】
本発明は、上述の問題を解決するためになされたものであって、その目的は、録画時刻の設定が容易であり、利用者による誤操作を低減することができるデータ記録再生装置を提供することである。
【課題を解決するための手段】
【０００７】
この発明のある局面に従うデータ記録再生装置は、映像音声データを受信するための受信手段と、受信された映像音声データを記録するための記録手段と、記録された映像音声データを再生するための再生手段と、記録手段の記憶領域を、映像音声データを一時的に記録するバッファ領域と、映像音声データを長期的に記録する保存領域とに分けて管理するための管理手段と、映像音声データをバッファ領域に記録しつつ、過去に受信されバッファ領域に一時的に記録されているデータを逐次再生するように、記録手段および再生手段を制御するための記録再生制御手段と、映像音声データの記録の開始時刻および終了時刻の設定のための画面を表示する信号を生成するための表示制御手段と、利用者による入力を検出するための検出手段とを含む。表示制御手段は、少なくとも一次元の座標方向に沿う形状を有する図形を表示する信号を生成する。検出手段は、記録の開始時刻および終了時刻の設定について、表示された図形に対する利用者による入力を検出する。
【０００８】
このような構成を有するデータ記録再生装置によると、管理手段は、記録手段の記憶領域を、映像音声データを一時的に記録するバッファ領域と、映像音声データを長期的に記録する保存領域とに分けて管理する。記録再生制御手段は、受信された映像音声データをバッファ領域に記録しつつ、過去に受信されバッファ領域に一時的に記録されているデータを逐次再生するように、記録手段および再生手段を制御する。表示制御手段は、映像音声データの記録の開始時刻および終了時刻の設定のための画面（たとえば矩形状の画面）を表示する信号を生成する。表示制御手段が、少なくとも一次元の座標方向に沿う形状を有する図形を表示する信号を生成すると、その信号に対応する図形は、たとえばデータ記録再生装置に接続された表示装置に、あるいはデータ記録再生装置が有する表示部に表示される。検出手段が、記録の開始時刻および終了時刻の設定について、表示された図形に対する利用者による入力を検出すると、データ記録再生装置はそれらの時刻に基づいて、データの記録を開始したり終了したりすることができる。このようにすると、利用者は、映像音声データの記録の開始時刻あるいは終了時刻を直接入力することなく、表示される図形を参照しながら、それらの時刻の設定を行なうことができる。これにより、利用者によるデータの記録の開始時刻あるいは終了時刻の設定における誤操作を低減することができるデータ記録再生装置を提供することができる。
【０００９】
この発明の他の局面に従うデータ記録再生装置は、映像音声データを受信するための受信手段と、受信された映像音声データを記録するための記録手段と、記録された映像音声データを再生するための再生手段と、映像音声データの記録の開始時刻および終了時刻の設定のための画面を表示する信号を生成するための表示制御手段と、利用者による入力を検出するための検出手段とを含む。表示制御手段は、少なくとも一次元の座標方向に沿う形状を有する図形を表示する信号を生成する。検出手段は、記録の開始時刻および終了時刻の設定について、表示された図形に対する利用者による入力を検出する。
【００１０】
このような構成を有するデータ記録再生装置によると、表示制御手段は、受信された映像音声データの記録の開始時刻および終了時刻の設定のための画面（たとえば矩形状の画面）を表示する信号を生成する。表示制御手段が、少なくとも一次元の座標方向に沿う形状を有する図形を表示する信号を生成すると、その信号に対応する図形は、たとえばデータ記録再生装置に接続された表示装置に、あるいはデータ記録再生装置が有する表示部に表示される。検出手段が、記録の開始時刻および終了時刻の設定について、表示された図形に対する利用者による入力を検出すると、データ記録再生装置はそれらの時刻に基づいて、データの記録を開始したり終了したりすることができる。このようにすると、利用者は、映像音声データの記録の開始時刻あるいは終了時刻を直接入力することなく、表示される図形を参照しながら、それらの時刻の設定を行なうことができる。これにより、利用者によるデータの記録の開始時刻あるいは終了時刻の設定における誤操作を低減することができるデータ記録再生装置を提供することができる。
【００１１】
好ましくは、データ記録再生装置は、記録手段の記憶領域を、映像音声データを一時的に記録するバッファ領域と、映像音声データを長期的に記録する保存領域とに分けて管理するための管理手段と、映像音声データをバッファ領域に記録しつつ、過去に受信されバッファ領域に記録されたデータを逐次再生するように、記録手段および再生手段を制御するための記録再生制御手段とをさらに含む。検出手段は、バッファ領域に一時的に記録されたデータを長期的に記録するための、表示された図形に対する利用者による入力を検出する。
【００１２】
このような構成を有するデータ記録再生装置によると、記録再生制御手段は、映像音声データをバッファ領域に記録しつつ、過去に受信されバッファ領域に記録されたデータを逐次再生するように、記録手段および再生手段を制御する。検出手段は、バッファ領域に一時的に記録されたデータを長期的に記録するための、表示された図形に対する利用者による入力を検出する。利用者は、過去に受信されたデータを長期的に記録するための指示を画面に表示された図形に入力することができるため、時刻を直接入力することなく、過去に受信された映像音声データの記録の開始時刻あるいは終了時刻を設定することができる。
【００１３】
好ましくは、管理手段は、検出された利用者による入力に基づいて、バッファ領域に記録されている映像音声データを保存領域に記録するように記録手段を管理する。
【００１４】
このような構成を有するデータ記録再生装置によると、他のデータがバッファ領域に逐次記録される場合でも、利用者が長期的に記録を望む映像音声データは保存領域に記録される。
【００１５】
好ましくは、記録手段は、記録される映像音声データの属性を表わす属性データを記録するための手段を含む。管理手段は、検出された利用者による入力に基づいて、バッファ領域に記録されている映像音声データについての属性データの内容を、長期的に記録されるデータであることを表わす内容に変更する。
【００１６】
このような構成を有するデータ記録再生装置によると、記録される映像音声データの属性を表わす属性データの内容を変更することにより、バッファ領域に記録されている映像音声データを保存領域に伝送することなく長期的に記録することができる。
【００１７】
好ましくは、少なくとも一次元の座標方向に沿う形状を有する図形は矩形である。その矩形の一次元の座標方向は、記録手段におけるデータの記憶容量に対応する。
【００１８】
このような構成を有するデータ記録再生装置によると、データの記憶容量に対応する矩形が表示されるため、利用者は、その表示に対して開始時刻および終了時刻を設定することにより、容易に映像音声データの記録のための入力を行なうことができる。
【発明を実施するための最良の形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
図１を参照して、本発明の実施の形態に係るデータ記録再生装置１００について説明する。図１は、データ記録再生装置１００の構成を表わすブロック図である。
【００２１】
このデータ記録再生装置１００は、システム制御回路１１０と、ＯＳＤ（On Screen Display）画像生成回路１１４と、操作部１２２と、受光部１２４と、計時回路１２６と、表示部１２８と、チューナ１３０と、ＭＰＥＧ（Moving Picture Experts Group）エンコーダ１３２と、ハードディスク装置１４０と、ＭＰＥＧデコーダ１３６と、出力部１３８とを含む。システム制御回路１１０はメモリ１１２を含む。ハードディスク装置１４０は、ハードディスク１４４と情報記録ヘッド１４２とを含む。
【００２２】
データ記録再生装置１００は、たとえばＨＤＤレコーダであるが、これに限られない。たとえばＨＤＤを備えるＰＣ（Personal Computer）であってもよい。この場合、各部の動作は、システム制御回路１１０からの信号の代わりに、ＣＰＵ（Central Processing Unit）からの指令に基づいて制御される。
【００２３】
データ記録再生装置１００は、テレビ１５０に接続される。なお、テレビ１５０に代えて、表示専用モニタ等がデータ記録再生装置１００に接続され、表示装置として使用されてもよい。
【００２４】
システム制御回路１１０は、後述するように信号の入出力を行ないながら、データ記録再生装置１００の動作を制御する。この動作には、受信された映像音声データの記録、記録されたデータの読み出し等が含まれる。この制御は、たとえばメモリ１１２に予め記憶されたプログラムに基づいて行なわれる。
【００２５】
システム制御回路１１０は、利用者の指示を検出すると、所定の画面を表示させるための信号を生成する。この画面には、録画開始時刻あるいは終了時刻の設定のための画面等が含まれる。
【００２６】
ＯＳＤ画像生成回路１１４は、操作部１２２あるいは受光部１２４を介して取得した利用者の指示に基づいて、あるいはシステム制御回路１１０において予め定められた条件に基づいて、メッセージ画像を表示するための信号を生成する。このメッセージ画像とは、チャネル表示、録画設定画面表示、音量表示その他の画像であって、ハードディスク装置１３４に記録されている画像とは異なる画像である。ＯＳＤ画像生成回路１１４は、このようなメッセージ画像の信号を生成すると、出力部１３８に出力する。この信号が出力されると、その信号が表わすメッセージ画像がテレビ１５０に表示される。
【００２７】
操作部１２２は、利用者が入力した指示を検出する。操作部１２２は、たとえばデータ記録再生装置１００の前面のパネルに設けられた入力ボタンであるが、これに限られない。指示が検出されると、その指示に対応する処理を実行させるための信号が生成される。この信号は、システム制御回路１１０に出力される。
【００２８】
受光部１２４は、後述するリモコン端末から発せられたリモコン信号を受信する。この信号は、システム制御回路１１０に出力される。
【００２９】
計時回路１２６は、データ記録再生装置１００における時間を計測する。計時回路１２６は、外部から供給される電源に基づいて作動するが、一時的な停電があっても、予め設定された時間は作動しつづけることができる。計時回路１２６は、時刻データをシステム制御回路１１０に出力する。また、システム制御回路１１０からの制御信号がこの回路に入力される。計時回路１２６の時刻は、この信号に基づいて補正される。
【００３０】
表示部１２８は、データ記録再生装置１００に関する情報を表示する。この情報には、時間、受信チャネル、カウンタ、録画／再生モードその他の項目が含まれる。この表示部１２８は、たとえばデータ記録再生装置１００の前面に形成されたインジケータであるが、これに限られない。
【００３１】
チューナ１３０には、アンテナ１９０が接続される。チューナ１３０は、アナログ放送、デジタル放送等により放送される映像音声データを受信することができるチューナであればよい。チューナ１３０により受信された電波は、ＭＰＥＧエンコーダ１３２に出力される。また、チューナ１３０は、システム制御回路１１０からの信号に基づいて受信チャネルを切り換えることができる。
【００３２】
ＭＰＥＧエンコーダ１３２は、チューナ１３０から入力された信号をデジタル信号に変換して、システム制御回路１１０に出力する。
【００３３】
ハードディスク装置１４０は、システム制御回路１１０からの信号に基づいて、ＭＰＥＧ符号化されたデータを情報記録ヘッド１４２によりハードディスク１４４に書き込んだり、ハードディスク１４４に記憶されたデータを読み出したりする。
【００３４】
ＭＰＥＧデコーダ１３６は、ハードディスク装置１４０から読み出された、ＭＰＥＧ符号化されたデータを復号化して出力部１３８に出力する。
【００３５】
出力部１３８は、ＯＳＤ画像生成回路１１４からの信号およびＭＰＥＧデコーダ１３６からの信号をテレビ１５０に出力する。これにより、テレビ１５０には、ＯＳＤ画像生成回路１１４により生成された画像メッセージと、ハードディスク装置１４０から読み出された映像とが表示される。
【００３６】
図２を参照して、本実施の形態に係るデータ記録再生装置１００におけるデータの記録について説明する。図２は、図１に示したハードディスク装置１４０に含まれるハードディスク１４４におけるデータの記憶領域を概略的に表わす図である。このハードディスク１４４は、その記憶領域として、管理領域１４５とバッファ領域１４６と保存領域１４７とを含む。
【００３７】
ハードディスク１４４に記録されるデータを管理するための管理データは、管理領域１４５に記録される。この管理データには、バッファ領域１４６あるいは保存領域１４７に記録されるデータは一時的に記録されるべきデータであるか否か、あるいは、長期的に記録されるべきデータであるか否か等の属性を表わす属性データが含まれる。
【００３８】
データ記録再生装置１００により受信された映像音声データは、バッファ領域１４６に一時的に記録される。したがって、バッファ領域１４６の容量が一杯になると、新たに受信された映像音声データは、バッファ領域１４６の先頭に戻って、既に記録されている映像音声データを上書きするように記録される。
【００３９】
ここで、本実施の形態に係るデータ記録再生装置１００にて実行されるタイムシフト再生について説明する。タイムシフト再生は、アンテナ１９０により受信された映像音声データをそのままテレビ１５０その他の表示装置に表示させるのではなく、一度ハードディスク装置１４０にデータを記録し、その記録されたデータを読み出して復号化した信号を表示装置に表示させる処理をいう。この処理では、ハードディスク装置１４０の情報記録ヘッド１４２は、システム制御回路１１０から供給された記録指令信号に応じて、ＭＰＥＧ形式に変換された信号をハードディスク１４４のバッファ領域に逐次記録する。この信号は、情報記録ヘッド１４２により読み出され、ＭＰＥＧデコーダ１３６により復号化されると、出力部１３８を介して出力される。このようにすると、アンテナ１９０を介して受信された映像音声データは、その受信のタイミングからデータの記録処理および再生処理に要する時間だけ遅れて表示されることになる。また、このようなタイムシフト処理が実行されている場合には、受信された映像音声データは、バッファ領域１４６の容量の範囲内において、他のデータにより上書きされるまで記録されている。
【００４０】
なお、このバッファ領域１４６に記録されるデータは、管理領域１４５に記録される属性データに基づいて、上書き禁止の属性にすることもできる。このようにすると、バッファ領域１４６に記録されているデータも、利用者による指示がない限り長期的に記録することができる。
【００４１】
長期的に記録されるデータは、保存領域１４７に記録される。このような記録のための転送は、バッファ領域１４６から、利用者により指示された時間に対応するデータを読み出し、保存領域１４７に書き込むことにより行なわれる。たとえば、利用者がテレビ１５０において番組を視聴している場合に、視聴し終えた部分のように放送済の番組を最終的に録画したいとき、その利用者が録画の開始時刻および終了時刻を入力すると、バッファ領域１４６に記録されているデータが保存領域１４７に記録される。その結果、逐次受信される映像音声データがバッファ領域１４６に記録される場合でも、利用者が録画を望むデータは確実に記録されることになる。
【００４２】
図３を参照して、本実施の形態に係るデータ記録再生装置１００にリモコン信号を送信するためのリモコン端末２００について説明する。図３は、リモコン端末２００の概略を表わす図である。
【００４３】
このリモコン端末２００は、モニタ２１０と、カーソルボタン２２０と、テンキー２３０とを含む。モニタ２１０は、利用者が入力した指示を表示する。カーソルボタン２２０は、テレビ１５０その他の表示装置に示される、入力を促すカーソルの位置を変更するためのボタンである。テンキー２３０は、所定の指示を入力するための、あるいは利用者が視聴を希望するチャネルを選択するためのボタンである。
【００４４】
なお、リモコン端末２００は、図３に示したものに限られず、表示の切り換え、録画の予約その他の指示に関するリモコン信号を送信することができる端末であればよい。
【００４５】
利用者がリモコン端末２００をデータ記録再生装置１００に向けて、特定のボタンを押下すると、その押下に応答してリモコン信号が送信部（図示しない）から送信される。この信号がデータ記録再生装置１００の受光部１２４に受光されると、データ記録再生装置１００はその信号に対応する処理を実行する。たとえば、利用者が録画設定ボタン（図示しない）を押下すると、表示画面が録画設定画面に切り替わる。あるいは、その画面において、カーソルを左右に移動させるためのカーソルボタン２２０を押下すると、録画開始時刻あるいは録画終了時刻の設定を変更することができる。
【００４６】
図４を参照して、本実施の形態に係るデータ記録再生装置１００がタイムシフト録画をする場合に使用されるデータについて説明する。図４は、タイムシフト録画の設定のためのデータ構造を表わす図である。これらのデータは、たとえばシステム制御回路１１０に設けられたメモリ１１２、あるいは、ハードディスク１４４の管理領域１４５に記憶される。なお、このデータの記憶の場所は、これらに限られない。なお、タイムシフト録画とは、既に受信され一時的に記録されているデータを長期的に記録するための処理をいう。この処理によると、利用者が当初録画していないデータでも、既に受信済のデータを記録することができる。
【００４７】
図４に示すように、録画開始時刻は、フィールド３０２に格納される。録画終了時刻は、フィールド３０４に格納される。録画開始時刻あるいは録画終了時刻は、現在時刻以降の時刻に限られず、たとえば過去の時刻であってもよい。録画開始時刻あるいは録画終了時刻は、たとえば、利用者がリモコン端末２００のカーソルボタン２２０を押下した場合に、その押下量あるいは押下時間に基づいて算出される。あるいは、これらの時刻は、データ記録再生装置１００の操作部１２２に対して同様に行なわれた操作に基づいて算出された時刻であってもよい。
【００４８】
録画チャネルは、フィールド３０６に格納される。録画チャネルは、リモコン端末２００あるいは操作部１２２を介して入力された、音声映像データの受信チャネルである。
【００４９】
録画モードは、フィールド３０８に格納される。録画モードは、たとえば画質を指定するためのモードであり、標準モード、高画質モードその他の設定が可能である。
【００５０】
図４の例では、タイムシフト録画は、２００３年１１月２２日２１時００分から開始する。この録画は、２１時５５分に終了する。指定されたチャネルは８である。このときの録画モードは標準である。
【００５１】
図４において、現在時刻がたとえば２００３年１１月２２日２１時１０分である場合、利用者がリモコン端末２００のカーソルボタン２２０を操作して、録画設定画面における時刻表示（たとえば棒グラフと数値表示）が２１時００分となるように開始位置を設定する。利用者が決定ボタン（図示しない）を押下すると、２００３年１１月２２日２１時００分というデータがフィールド３０２に格納される。
【００５２】
同様に、利用者が録画設定画面における時刻表示が２１時５５分となるようにカーソルボタン２２０を操作して決定ボタンを押下すると、２００３年１１月２２日２１時５５分というデータがフィールド３０４に格納される。
【００５３】
このように、タイムシフト録画は、利用者による所定の操作により記憶された、少なくとも１レコード相当のデータに基づいて実行される。
【００５４】
なお、録画設定画面における時刻表示は、上記のような棒グラフと数値表示とに限られるものではない。その表示は、利用者がハードディスク１４４の記憶領域のイメージを認識することができ、また、録画の開始時刻および終了時刻をそのイメージに対して入力することができるような画像の表示であればよい。
【００５５】
図５を参照して、本実施の形態に係るデータ記録再生装置１００に接続されるテレビ１５０に表示される画面について説明する。図５（Ａ）〜（Ｃ）は、テレビ１５０に表示される録画設定画面を表わす図である。これらの画面は、システム制御回路１１０により生成される信号に基づいて表示される。
【００５６】
図５（Ａ）は、利用者の指示により最初に表示される録画設定画面（「メータ録画設定」画面）を表わす。この画面において、ハードディスク１４４の記録領域に対応する図形（たとえば長方形、棒グラフ等）が表示される。この図形において、現在の位置が示される。この現在の位置は、たとえば、現在の時刻における情報記録ヘッド１４２の位置に対応する。
【００５７】
図５（Ｂ）は、利用者の指示により表示される録画開始位置設定画面を表わす。たとえば、図５（Ａ）の画面に対して、利用者が録画開始位置の入力ボタン（図示しない）を押下すると、録画終了位置設定画面に切り替わる。この画面に対して、利用者がリモコン端末２００のカーソルボタン２１０を左右に押下すると、その押下に応じた録画開始位置が表示される。このとき、その位置に対応する録画開始時刻も表示される。
【００５８】
図５（Ｃ）は、利用者の指示により表示される録画終了位置設定画面を表わす。たとえば、図５（Ｂ）の画面に対して、利用者が入力の確定ボタンを押下すると、録画終了位置設定画面に切り替わる。この画面に対して、利用者がリモコン端末２００のカーソルボタン２１０を左右に押下すると、その押下に応じた録画終了位置が表示される。このとき、その位置に対応する録画終了時刻も表示される。
【００５９】
このようにすると、利用者は、録画開始時刻あるいは録画終了時刻を直接入力することなく、これらの時刻を設定することができるため、録画開始時刻あるいは録画終了時刻を誤って設定することを防止することができる。
【００６０】
なお、図５（Ａ）〜（Ｃ）に示した項目に加えて、たとえば録画開始時刻から録画終了時刻までの時間を表示してもよい。この時間は、たとえば利用者が録画終了時刻の設定を完了したとき、システム制御回路１１０により算出される。この時間を表示することにより、その利用者は、録画される時間を容易に把握することができる。
【００６１】
図６を参照して、本実施の形態に係るデータ記録再生装置１００が予約録画をする場合に使用されるデータについて説明する。図６は、予約録画に使用されるデータ構造を表わす図である。これらのデータは、図４に示したデータと同様に、たとえばシステム制御回路１１０に設けられたメモリ１１２に記憶されたり、ハードディスク装置１４０に記憶されたりする。
【００６２】
予約番号は、フィールド４０２に格納される。この予約番号は、予約情報を特定するための番号である。たとえば複数の録画予約が設定されると、それぞれの予約番号は、予約の順序に応じて自動的に割り当てられ、フィールド４０２に格納される。
【００６３】
録画開始時刻は、フィールド４０４に格納される。録画終了時刻は、フィールド４０６に格納される。録画開始時刻あるいは録画終了時刻は、リモコン端末２００あるいは操作部１２２の操作により設定される時刻である。
【００６４】
録画チャネルは、フィールド４０８に格納される。録画モードは、フィールド４１０に格納される。
【００６５】
図６の例では、たとえば予約番号が「１」である録画予約は、２００３年１１月２２日２３時００分から録画が開始される。その録画は、同日の２３時５５分に終了する。録画されるチャネルは「８」である。録画モードは高画質である。
【００６６】
なお、ハードディスク装置１４０に記憶されるデータ項目は、図６に示したものに限られず、その他の項目も含まれてもよい。たとえば、利用者がリモコン端末２００を介して入力した番組の属性情報（たとえば、「上書き禁止」等）を記録するためのフィールドが設けられていてもよい。
【００６７】
また、図４に示したタイムシフト録画のためのデータと図６に示した予約録画のためのデータとを同一のテーブルに記憶してもよい。
【００６８】
図７を参照して、本発明の実施の形態に係るデータ記録再生装置１００を実現するシステム制御回路１１０の制御構造について説明する。図７は、システム制御回路１１０が実行する処理の手順を表わすフローチャートである。
【００６９】
ステップＳ５０２にて、システム制御回路１１０は、メータ録画設定モードの実行を検出する。この検出は、たとえば利用者がリモコン端末２００を操作して、メータ録画設定モードを選択した場合に行なわれる。なお、ここでメータ録画設定モードとは、録画時刻の設定のためのメータがテレビ１５０に表示され、その表示画面上にて録画時刻の設定（タイムシフト録画、予約録画などの設定）が可能なモードをいう。
【００７０】
ステップＳ５０４にて、システム制御回路１１０は、メモリ１１２を初期化する。
【００７１】
ステップＳ５０６にて、システム制御回路１１０は、録画設定画面の表示指令を出力する。この指令は、所定の画面を表示させるための信号を含む。この指令が出力されると、テレビ１５０には、メータ録画設定画面が表示される。
【００７２】
ステップＳ５０８にて、システム制御回路１１０は、録画開始位置の入力を検出する。この検出は、利用者によるリモコン端末２００の所定のボタン操作に応答して行なわれる。したがって、テレビ１５０に表示されるメータに示される録画開始位置の表示は、利用者のボタン操作によって変化する。たとえば、左方向に移動させるためのカーソルボタン２２０が押下されると、録画開始位置も左に移動する。このような利用者のボタン操作によって、録画開始時刻がさらに過去にさかのぼることが示される。
【００７３】
ステップＳ５０９にて、システム制御回路１１０は、録画開始位置に対応する録画開始時刻を算出する。この算出は、たとえば現在時刻、現在のメータ上の位置、検出された録画開始位置、ハードディスク装置１４０のバッファ領域の容量に基づいて行なわれる。なお、バッファ領域とは、データを一時的に保存するための領域をいう。バッファ領域の容量が時間（以下、一時保存時間という。）に換算される。一時保存時間がメータ表示される場合の長さ（以下、「バッファ領域長さ」という。）に換算される。メータ表示における現在時刻を表わす位置と利用者が設定した録画開始位置との差が算出される。バッファ領域長さに対するその差の割合が算出される。現在時刻以前の録画時間が、その割合と一時保存時間とに基づいて算出される。録画開始時刻は、現在時刻からその録画時間だけ減算することにより算出される。
【００７４】
ステップＳ５１０にて、システム制御回路１１０は、録画開始時刻が決定されたか否かを判断する。この判断は、たとえばデータ記録再生装置１００がリモコン端末２００から所定のリモコン信号を受信したか否かに基づいて行なわれる。この信号は、たとえば利用者がリモコン端末２００の決定ボタン（図示しない）を押下した場合に発信される。録画開始時刻が決定されたと判断した場合には（ステップＳ５１０にてＹＥＳ）、処理はステップＳ５１２に移される。もしそうでないと（ステップＳ５１０にてＮＯ）、処理はステップＳ５０８に戻される。
【００７５】
ステップＳ５１２にて、システム制御回路１１０は、メモリ１１２のフィールド３０２に録画開始時刻のデータを書き込む。
【００７６】
ステップＳ５１４にて、システム制御回路１１０は、録画設定画面の表示の指令を出力する。この指令が出力されると、テレビ１５０に表示される画面は、録画終了時刻を設定するための画面に切り替わる。
【００７７】
ステップＳ５１６にて、システム制御回路１１０は、録画終了位置の入力を検出する。この検出は、利用者によるリモコン端末２００の所定のボタン操作に応答して行なわれる。なお、この処理は、ステップＳ５０８における処理と同様に実行されるため、その説明は繰り返さない。
【００７８】
ステップＳ５１７にて、システム制御回路１１０は、録画終了位置から録画終了時刻を算出する。この算出は、たとえば現在時刻、現在のメータ上の位置、検出された録画終了位置、ハードディスク装置１４０の保存領域の容量に基づいて行なわれる。なお、保存領域とは、利用者の指示に基づいてデータの書き込み、あるいは消去ができる領域をいう。保存領域の容量が時間（以下、録画時間）に換算される。録画時間がメータ表示される場合の長さ（以下、「保存領域長さ」という。）に換算される。現在時刻を表わす位置と利用者が設定した録画終了位置との差が算出される。保存領域長さに対するその差の割合が算出される。現在時刻以後の時間が、その割合と録画時間とに基づいて算出される。録画終了時刻は、現在時刻にその時間を加算することにより算出される。
【００７９】
ステップＳ５１８にて、システム制御回路１１０は、録画終了時刻が決定されたか否かを判断する。この判断は、たとえばデータ記録再生装置１００がリモコン端末２００から所定のリモコン信号を受信したか否かに基づいて行なわれる。録画終了時刻が決定されたと判断した場合には（ステップＳ５１８にてＹＥＳ）、処理はステップＳ５２０に移される。もしそうでないと（ステップＳ５１８にてＮＯ）、処理はステップＳ５１６に戻される。
【００８０】
ステップＳ５２０にて、システム制御回路１１０は、録画開始時刻と録画終了時刻とに基づいて、録画時間を算出する。
【００８１】
ステップＳ５２２にて、システム制御回路１１０は、利用者により指定された録画時間帯が予約済みであるか否かを判断する。この判断は、たとえば、指定された録画開始時刻と録画終了時刻との間に、その他の録画予約情報に含まれる録画開始時刻あるいは録画終了時刻が存在するか否かに基づいて行なわれる。指定された録画時間帯が予約済みであると判断した場合には（ステップＳ５２２にてＹＥＳ）、処理はステップＳ５２４に移される。もしそうでないと（ステップＳ５２２にてＮＯ）、処理はステップＳ５２５に移される。
【００８２】
ステップＳ５２４にて、システム制御回路１１０は、重複予約のメッセージを表示するための信号をＯＳＤ画像生成回路１１４に出力する。これにより、テレビ１５０には、利用者が指定した時間帯は既に録画済である旨のメッセージが表示される。
【００８３】
ステップＳ５２５にて、システム制御回路１１０は、ステップＳ５２０にて算出した録画時間から録画に必要な記憶容量（以下、「必要容量」という。）を算出する。この算出は、たとえば録画時間と高画質あるいは標準その他の録画モードとに基づいて行なわれる。この場合、高画質モードによる録画が選択されると、録画時間は標準モードが選択された場合に比べて短くなる。
【００８４】
ステップＳ５２６にて、システム制御回路１１０は、必要容量がＨＤＤの記憶容量（すなわち、空き領域のサイズ）を超過しているか否かを判断する。必要容量がＨＤＤの記憶容量を超過していると判断した場合には（ステップＳ５２６にてＹＥＳ）、処理はステップＳ５２８に移される。もしそうでないと（ステップＳ５２６にてＮＯ）、処理はステップＳ５３０に移される。
【００８５】
ステップＳ５２８にて、システム制御回路１１０は、ＨＤＤの記憶容量が不足していることを表わすメッセージを表示するための信号をＯＳＤ画像生成回路１１４に出力する。これにより、そのメッセージがテレビ１５０に表示される。
【００８６】
ステップＳ５３０にて、システム制御回路１１０は、録画終了時刻を表わすデータをメモリ１１２のフィールド３０４に書き込む。
【００８７】
ステップＳ５３２にて、システム制御回路１１０は、メータ録画設定ＯＫの入力を検出した否かを判断する。たとえば、受光部１２４がリモコン端末２００から所定の信号を受信した場合には、その入力が検出される。メータ録画設定ＯＫの入力を検出したと判断すると（ステップＳ５３２にてＹＥＳ）、処理はステップＳ６００に移される。もしそうでないと（ステップＳ５３２にてＮＯ）、処理はステップＳ５３４に移される。
【００８８】
ステップＳ５３４にて、システム制御回路１１０は、所定時間待機する。その後、処理はステップＳ５３２に戻される。
【００８９】
ステップＳ６００にて、システム制御回路１１０は、後述する録画処理を実行する。この処理が実行されると、番組の録画は設定された録画開始時刻から開始され、録画終了時刻になると終了される。
【００９０】
図８を参照して、本実施の形態に係るシステム制御回路１１０による録画処理の制御構造について説明する。図８は、録画処理の手順を表わすフローチャートである。
【００９１】
ステップＳ６０２にて、システム制御回路１１０は、計時回路１２６から現在時刻を取得する。
【００９２】
ステップＳ６０４にて、システム制御回路１１０は、録画開始時刻が現在時刻以前であるか否かを判断する。この判断は、取得した現在時刻とメモリ１１２のフィールド３０２に格納されているデータとを比較することにより行なわれる。録画開始時刻が現在時刻以前であると判断した場合には（ステップＳ６０４にてＹＥＳ）、処理はステップＳ６０６に移される。もしそうでないと（ステップＳ６０４にてＮＯ）、処理はステップＳ６１８に移される。
【００９３】
ステップＳ６０６にて、システム制御回路１１０は、ハードディスク１４４のバッファ領域１４６からデータを取得する。このデータは、利用者により設定されたチャネルの番組であってデータ記録再生装置１００の電源がオンである間、一時的にバッファ領域に保存されているデータである。
【００９４】
ステップＳ６０８にて、システム制御回路１１０は、そのデータをハードディスク１４４の保存領域１４７に書き込む。この保存領域１４７は、予め定められた操作以外の操作ではデータの消去ができない領域である。
【００９５】
ステップＳ６１０にて、システム制御回路１１０は、現在時刻以前のデータの書込が完了したか否かを判断する。この判断は、情報記録ヘッド１４２による所定の書き込み動作が完了する度に、そのときの時刻と記憶されている時刻データとを比較することにより行なわれる。たとえば、書き込みの完了時刻が時刻データを経過している場合には、データの書き込みは完了したと判断される。データの書込が完了したと判断すると（ステップＳ６１０にてＹＥＳ）、処理はステップＳ６１２に移される。もしそうでないと（ステップＳ６１０にてＮＯ）、処理はステップＳ６０６に戻される。
【００９６】
ステップＳ６１２にて、システム制御回路１１０は、計時回路１２６から現在時刻を取得する。
【００９７】
ステップＳ６１４にて、システム制御回路１１０は、メモリ１１２のフィールド３０２に格納された録画終了時刻データを読出す。
【００９８】
ステップＳ６１６にて、システム制御回路１１０は、録画終了時刻が現在時刻以降であるか否かを判断する。この判断は、これらの時刻を比較することにより行なわれる。録画終了時刻が現在時刻以降であると判断した場合には（ステップＳ６１６にてＹＥＳ）、処理はステップＳ６１８に移される。もしそうでないと（ステップＳ６１６にてＮＯ）、処理は終了し、メイン処理（すなわち、録画時刻設定処理）に戻される。
【００９９】
ステップＳ６１８にて、システム制御回路１１０は、チューナ１３０のチャネルを設定チャネルに変更する。この変更は、チューナ１３０に所定の制御信号を出力することにより行なわれる。
【０１００】
ステップＳ６２０にて、システム制御回路１１０は、録画の開始指示を出力する。この指示が出力されると、チューナ１３０により受信された信号は、ＭＰＥＧエンコーダ１３２により符号化される。この符号化された信号は、情報記録ヘッド１４２によりハードディスク１４４の所定の保存領域に記録される。
【０１０１】
ステップＳ６２２にて、システム制御回路１１０は、計時回路１２６から現在時刻を取得する。
【０１０２】
ステップＳ６２４にて、システム制御回路１１０は、現在時刻が録画終了時刻であるか否かを判断する。現在時刻が録画終了時刻である場合には（ステップＳ６２４にてＹＥＳ）、処理はステップＳ６２６に移される。もしそうでないと（ステップＳ６２４にてＮＯ）、処理はステップＳ６２２に戻される。
【０１０３】
ステップＳ６２６にて、システム制御回路１１０は、録画の終了指示を出力する。この指示が出力されると、情報記録ヘッド１４２によるハードディスク１４４へのデータの書込が終了する。
【０１０４】
以上のような構造およびフローチャートに基づく本実施の形態に係るデータ記録再生装置１００の動作について、利用者がテレビ放映される番組を録画する場合を説明する。
【０１０５】
利用者がリモコン端末２００の所定のボタンを押下してメータ録画設定モードを選択すると、リモコン信号がデータ記録再生装置１００に送信される。データ記録再生装置１００の受光部１２４がその信号を受光すると、メータ録画設定モードの選択が検出される（ステップＳ５０２）。所定の指令がデータ記録再生装置１００からテレビ１５０に出力されると（ステップＳ５０６）、メータ録画設定画面がテレビ１５０に表示される（図５（Ａ））。
【０１０６】
利用者が、テレビ１５０に表示されたメータ録画設定画面を参照しながら、リモコン端末２００のカーソルボタン２２０を操作して録画開始位置を指定すると、その位置が時刻に換算され、テレビ１５０に表示される（図５（Ｂ））。メータの表示がカーソルボタン２２０の操作に応答して切り替わり、その表示の位置が検出される（ステップＳ５０８）。
【０１０７】
その位置に対応する時刻が、その位置と現在の時刻およびメータの表示とに基づいて算出され（ステップＳ５０９）、利用者がリモコン端末２００上の所定のボタンを押下すると録画開始位置が決定される（ステップＳ５１０にてＹＥＳ）。この時刻はメモリ１１２のフィールド３０２に録画開始時刻データとして格納される（ステップＳ５１２）。その後、テレビ１５０に表示されるメータ録画設定の画面が切換わり、録画終了位置の入力画面が表示される（ステップＳ５１４）。
【０１０８】
利用者が、録画開始位置を入力した場合と同様にリモコン端末２００のカーソルボタン２２０を操作すると、その位置が時刻に換算されテレビ１５０に表示される（図５（Ｃ））。カーソルボタン２２０の操作に応答してメータの表示が切り替わり、その表示の位置が検出される（ステップＳ５１６）。
【０１０９】
その位置に対応する時刻が、録画終了時刻として、その位置と現在の時刻およびメータの表示とに基づいて算出され（ステップＳ５１７）、利用者がリモコン端末２００上の所定のボタンを押下すると録画終了位置が決定される（ステップＳ５１８にてＹＥＳ）。
【０１１０】
その他の録画の予約が利用者が指定した録画時間帯になく（ステップＳ５２２にてＮＯ）、さらにハードディスク装置１４０の記憶容量を超過していない場合には（ステップＳ５２６にてＮＯ）、録画終了時刻がメモリ１１２に記憶される（ステップＳ５３０）。
【０１１１】
利用者がリモコン端末２００の所定のボタンを押下すると、メータ録画の設定が確定され（ステップＳ５３２にてＹＥＳ）、録画が開始される（ステップＳ６００）。
【０１１２】
利用者が設定した録画開始時刻が現在時刻よりも以前である場合には（ステップＳ６０４にてＹＥＳ）、ハードディスク装置１４０のバッファ領域から、既に受信され一時的に保存されている番組のデータが取得され（ステップＳ６０６）、ハードディスク１４４の所定の保存領域にデータが書き込まれる（ステップＳ６０８）。現在時刻以前のデータの書込が完了すると（ステップＳ６１０にてＹＥＳ）、そのときの時刻が取得され（ステップＳ６１２）、さらに録画終了時刻がメモリ１１２のフィールド３０４から読み出される（ステップＳ６１４）。
【０１１３】
録画終了時刻が現在時刻よりも後に設定されている場合には（ステップＳ６１６にてＹＥＳ）、チューナ１３０のチャネルは利用者が設定したチャネルに変更される（ステップＳ６１８）。録画の開始指示がシステム制御回路１１０からハードディスク装置１４０に出力されると（ステップＳ６２０）、ハードディスク１４４の保存領域１４７に対するデータの書き込みが開始される。
【０１１４】
その後、現在時刻が録画終了時刻になると（ステップＳ６２４にてＹＥＳ）、録画の終了指示がシステム制御回路１１０からハードディスク装置１４０に出力され（ステップＳ６２６）、ハードディスク装置１４０に対するデータの書き込みが終了する。
【０１１５】
以上のようにして、本実施の形態に係るデータ記録再生装置１００は、リモコン端末２００から受信した利用者のボタン操作に応答して、録画開始位置および録画終了位置をたとえばメータ表示によりテレビ１５０に表示させる。これらの位置は、現在時刻とそのときのメータ上の位置とにより、録画開始時刻および録画終了時刻に換算される。このようにすると、利用者は、時刻を直接入力することなく、時刻の設定を行なうことができるため、予約録画の時刻は正確に設定される。これにより、利用者による誤操作を低減することができるデータ記録再生装置を提供することができる。
【０１１６】
＜変形例＞
以下、本発明の実施の形態の変形例について説明する。本変形例に係るデータ記録再生装置は、録画終了時刻が経過した後に、バッファ領域１４６に一時的に保存されているデータをまとめて保存領域１４７に伝送することができる点で、上記実施の形態に係るデータ記録再生装置１００と異なる。なお、本変形例に係るデータ記録再生装置のハードウェア構成は図１に示したデータ記録再生装置と同じであるので、ここではその説明は繰り返さない。
【０１１７】
図９を参照して、本変形例に係るシステム制御回路１１０による録画処理の制御構造について説明する。図９は、録画処理の手順を表わすフローチャートである。なお、図８に示した処理と同一の処理には同じステップ番号を付し、それらについての説明は繰り返さない。
【０１１８】
ステップＳ９０４にて、システム制御回路１１０は、現在時刻が、録画終了時刻を経過したか否かを判断する。現在時刻が録画終了時刻を経過したと判断すると（ステップＳ９０４にてＹＥＳ）、処理はステップＳ６０６に移される。もしそうでないと（ステップＳ９０４にてＮＯ）、処理はステップＳ６０２に戻される。
【０１１９】
以上のような構造およびフローチャートに基づく本変形例に係るデータ記録再生装置の動作について説明する。なお、前述の実施の形態に係るデータ記録再生装置１００と同じ動作は、ここでは繰り返さない。
【０１２０】
利用者が録画終了時刻を設定して、そのデータがメモリに保存され（ステップＳ５３０）、メータ録画設定ＯＫの入力が検出されると（ステップＳ５３２にてＹＥＳ）、録画処理が開始される（ステップＳ６００）。
【０１２１】
現在時刻が計時回路１２６から取得され（ステップＳ６０２）、現在時刻が録画終了時刻を経過している場合には（ステップＳ９０４にてＹＥＳ）、ハードディスク１４４のバッファ領域１４６に記録されているデータが読み出される（ステップＳ６０６）。このデータはハードディスク１４４の保存領域１４７に書き込まれ（ステップＳ６０８）、利用者の指示がない限り保存される。
【０１２２】
以上のようにして本変形例に係るデータ記録再生装置は、録画終了時刻が経過した後、バッファ領域１４６に記録したデータをまとめて保存領域１４７に転送する。このようにすると、データの読み出し時あるいは書き込み時におけるエラーの発生を抑制することができるため、保存領域１４７に対するデータの転送を確実に行なうことができる。
【０１２３】
なお、本実施の形態あるいはその変形例に係るデータ記録再生装置によると、受信された映像音声データの記録は、バッファ領域１４６から保存領域１４７に書き込むことにより行なわれた。このようにデータが格納される領域を変更することにより映像音声データを長期的に保存する方法に代えて、管理領域１４５に記憶される映像音声データの属性を変更することにより、長期的に保存することもできる。たとえば、バッファ領域１４６に形成される、データを記録するためのセクタごとの属性を「一時保存」から「長期保存」に変更することにより、「長期保存」の属性を有するセクタに対するデータの上書きを禁止してもよい。このようにすると、バッファ領域１４６に一時的に記録されているデータを他の領域に伝送することなく、そのデータを長期的に記録することができる。
【０１２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２５】
【図１】本発明の実施の形態に係るデータ記録再生装置の構造を表わすブロック図である。
【図２】図１に示したデータ記録再生装置に含まれるハードディスクにおけるデータの記憶領域を表わす図である。
【図３】図１に示したデータ記録再生装置に指令を送信するためのリモコン端末を表わすブロック図である。
【図４】図１に示したデータ記録再生装置に記憶されるデータ構造を表わす図（その１）である。
【図５】図１に示したテレビ１５０に表示される録画設定画面の推移を説明するための図である。
【図６】図１に示したデータ記録再生装置に記憶されるデータ構造を表わす図（その２）である。
【図７】図１に示したデータ記録再生装置を実現するシステム制御回路が実行する処理の手順を表わすフローチャート（その１）である。
【図８】図１に示したデータ記録再生装置を実現するシステム制御回路が実行する処理の手順を表わすフローチャート（その２）である。
【図９】本発明の実施の形態の変形例に係るデータ記録再生装置を実現するためのシステム制御回路が実行する処理の手順を表わすフローチャート（その３）である。
【符号の説明】
【０１２６】
１００  データ記録再生装置、１１０  システム制御回路、１１２  メモリ、１１４  ＯＳＣ画像生成回路、１２２  操作部、１２４  受光部、１２６  計時回路、１２８  表示部、１３０  チューナ、１３２  ＭＰＥＧエンコーダ、１３６  ＭＰＥＧデコーダ、１３８  出力部、１４０  ハードディスク装置、１４２  情報記録ヘッド、１４４  ハードディスク、１５０  テレビ、１９０  アンテナ、２００  リモコン端末、２１０  モニタ、２２０  カーソルボタン、２３０  テンキー。
【図１】
2005094343.tif 000003
【図２】
2005094343.tif 000004
【図３】
2005094343.tif 000005
【図４】
2005094343.tif 000006
【図５】
2005094343.tif 000007
【図６】
2005094343.tif 000008
【図７】
2005094343.tif 000009
【図８】
2005094343.tif 000010
【図９】
2005094343.tif 000011